(57)【要約】【課題】  表示パネルの画面を有効に利用し、表示パネルに任意の情報を表示できる画像処理装置を実現する。【解決手段】  複合機１は、縦長の表示パネル１０ａを有する表示装置１０と、操作キー６０とを備えており、表示装置１０と操作キー６０とが複合機の１の長手方向の一側部に、短手方向に隣接して設けられている。表示パネル１０ａには、画像領域１１および画像情報表示領域１５のように任意の情報を表示する情報表示領域と、その表示パネル１０ａの長手方向に対して垂直方向に、複合機１の設定状態を表示する設定表示領域１２、および、ガイダンス領域１３，１４を有している。このため、複合機１の大型化を伴わずに、表示パネル１０ａのスペースを有効利用して、空いたスペースに、画像やその画像の画像情報を、並べて表示することができる。【選択図】  図１
2006113411.tif 000002
【特許請求の範囲】
【請求項１】
機器の操作を行う操作部と、表示装置とを備えた電子機器であって、
これら操作部と表示装置とが、機器本体の長手方向の一側部に、隣接して設けられ、
この表示装置が、縦長の表示パネルを備えていることを特徴とする電子機器。
【請求項２】
上記表示装置が、操作部の上方に設けられていることを特徴とする請求項１に記載の電子機器。
【請求項３】
請求項１または２に記載の電子機器を備える画像処理装置であって、
さらに、画像を読み取る画像読取部を備え、
上記操作部および表示装置が、この画像読取部の一側端に、設けられていることを特徴とする画像処理装置。
【請求項４】
さらに、入力された画像データを出力する画像形成部を備えていることを特徴とする請求項３に記載の画像処理装置。
【請求項５】
上記画像形成部は、現像剤を用いた画像形成が可能であり、
上記操作部および表示装置が設けられた領域の装置内部に、現像剤を収容する収容部を備えていることを特徴とする画像処理装置。
【請求項６】
上記画像形成部は、インクジェット方式で画像形成するものであることを特徴とする請求項５に記載の画像処理装置。
【請求項７】
上記表示装置には、操作部に設けられるキーの一部を表示することを特徴とする請求項３に記載の画像処理装置。
【請求項８】
上記操作部に設けられるキーの一部は、画像処理装置の機能設定のためのキーであることを特徴とする請求項７記載の画像処理装置。
【請求項９】
上記表示装置に表示された表示キーの一つを選択するための選択キーが、操作部に設けられていることを特徴とする請求項７または８に記載の画像処理装置。
【請求項１０】
上記操作部には、選択キーにて選択された一つの表示キーを操作されたキーとして決定する決定キーを備えていることを特徴とする請求項９記載の画像処理装置。
【請求項１１】
上記操作部の一部の機能を選択するキーが、操作部に設けられていることを特徴とする請求項７に記載の画像処理装置。
【請求項１２】
上記表示パネルは、
任意の情報を表示する情報表示領域と、
その情報表示領域に関連する情報を表示する関連情報表示領域とを有することを特徴とする請求項３に記載の画像処理装置。
【請求項１３】
上記表示パネルは、さらに、その表示パネルの長手方向に対して垂直方向に、画像処理装置の設定状態を表示する設定表示領域を有することを特徴とする請求項３に記載の画像処理装置。
【請求項１４】
上記情報表示領域は、任意の情報として画像を表示する画像領域であり、
上記関連情報表示領域が、その画像の情報を表示する画像情報表示領域であることを特徴とする請求項１２に記載の画像処理装置。
【請求項１５】
上記情報表示領域と関連情報表示領域とが、表示パネルの上下方向に分割して設けられていることを特徴とする請求項１２に記載の画像処理装置。
【請求項１６】
上記情報表示領域と関連情報表示領域とが、隣接して設けられていることを特徴とする請求項１２に記載の画像処理装置。
【請求項１７】
上記画像領域には、横長画像が表示され、
上記横長画像は、その横長画像の長手方向の長さと、表示パネルの短手方向の長さとが略等しくなるように表示されることを特徴とする請求項１３に記載の画像処理装置。
【請求項１８】
上記情報表示領域から関連情報表示領域に及んで、縦長画像が表示され、
上記縦長画像は、その縦長画像の長手方向が、表示パネルの長手方向に対して平行に表示されることを特徴とする請求項１２に記載の画像処理装置。
【請求項１９】
上記縦長画像は、その縦長画像の長手方向の長さと、上記情報表示領域の長手方向の長さとが略等しくなるように、表示されることを特徴とする請求項１８に記載の画像処理装置。
【請求項２０】
さらに、上記関連情報表示領域に、任意の情報を書き込むための入力手段を備えていることを特徴とする請求項１３に記載の画像処理装置。
【請求項２１】
請求項１または２に記載の電子機器、あるいは、請求項３〜２０のいずれか１項に記載の画像処理装置に備えられ表示装置であって、
任意の情報を表示する情報表示領域と、
その情報表示領域に関連する情報を表示する関連情報表示領域とを有する、縦長の表示パネルを備えていることを特徴とする表示装置。
【請求項２２】
上記情報表示領域が、任意の情報として画像を表示する画像領域であり、
上記関連情報表示領域が、その画像の情報を表示する画像情報表示領域であることを特徴とする請求項２１に記載の表示装置。
【請求項２３】
上記情報表示領域と関連情報表示領域とが、表示パネルの上下方向に隣接して設けられていることを特徴とする請求項２１に記載の表示装置。
【発明の詳細な説明】
【技術分野】
【０００１】
本発明は、縦長に表示する縦長の表示パネルを備えた表示装置と、その表示装置を備えた電子機器および画像処理装置に関するものである。
【背景技術】
【０００２】
電子スチルカメラ（いわゆるデジタルカメラ）により撮影した写真画像を印刷する画像処理装置には、デジタルカメラを直接接続するタイプ、および、デジタルカメラ用の記録媒体（メモリーカードなど）を挿入するタイプのものがある。これらのタイプの画像処理装置は、デジタルカメラ、または、リムーバブルな記録媒体から、ダイレクトに得た画像データを印刷用紙等に印刷する機能（ダイレクトプリント機能）を有している。
【０００３】
また、この画像処理装置は、表示パネルを備えている。この表示パネルの画面上には、デジタルカメラの写真画像が、縮小表示（一覧表示など）されるようになっており、ユーザーは、表示パネルに表示された写真画像を見ながら、印刷したい写真画像を、選択できるようになっている。これにより、ユーザーは、撮影した複数の写真画像の中から、印刷したい画像のみを、印刷できる。また、パソコンに写真画像のデータを移す必要がないため、印刷のための処理が簡素化される。
【０００４】
図１４は、この画像処理装置１０１の斜視図である。画像処理装置１０１は、ダイレクトプリント機能に加えて、例えば、コピー，ファックス，およびスキャナなどの、複数の機能を有する複合機である。通常、この画像処理装置１０１は、装置のレイアウトの都合上、横型の表示を行う横長の表示パネル１００ａを有する横長の表示装置１００を備えている。また、この画像処理装置１０１は、ダイヤルや印刷部数などを設定するためのダイヤルキー、および、各機能の設定を行うキーなど、画像処理装置１０１を操作するための操作部１６０を備えている。表示装置１００および操作部１６０は、互いに上下に隣接している。
【０００５】
図１５（ａ）および図１５（ｂ）は、横長の表示装置１００を示す図であり、図１５（ａ）は、その表示例を示す図である。図１５（ａ）に示すように、横長の表示装置１００は、長手方向の長さと短手方向との長さの比（縦横の長さの比）が、４：３の液晶ディスプレイ等の表示パネル１００ａを有している。表示パネル１００ａでは、通常、画像処理装置の設定状態を示す設定表示領域（ステータス行）１１２が、上部の長辺に沿って（長手方向に）設けられ、画像処理装置の操作ガイダンスまたは機能（ソフト）を表示するガイダンス領域１１３・１１４が、下部の長辺に沿って（長手方向に）、設けられている。そして、表示パネル１００ａの画面上の略中央には、写真画像等を表示する画像領域１１１が設けられている。
【０００６】
一方、特許文献１には、縦型の表示を行う縦長の表示パネルを備えた車載ナビゲーション装置（いわゆるカーナビ）が開示されている。この表示パネルには、ＣＤ−ＲＯＭなどに格納された地図データと、車両の現在地とが表示される。
【特許文献１】特開平１０−１６０４８９（１９９８年６月１９日公開）
【発明の開示】
【発明が解決しようとする課題】
【０００７】
しかしながら、横長の表示装置１００では、表示パネル１００ａの画面を有効に利用して、表示すべき画像を表示できないという問題がある。また、表示パネル１００ａの画面を大きくしようとすると、複合機本体が、大型化してしまうという問題もある。
【０００８】
具体的には、図１５(ｂ)に示すように、横長の表示パネル１００ａでは、設定表示領域１１２、および、ガイダンス領域１１３・１１４が、表示パネル１００ａの２辺の長辺に沿って、設けられている。このため、画像を表示できる領域（情報表示領域）１１６は、必然的に、表示パネル１００ａの全画面から、設定表示領域１１２、および、ガイダンス領域１１３・１１４を差し引いた領域となる。また、表示パネル１００ａに表示する画像は、横長画像（特に写真画像の場合、縦の長さ：横の長さ＝３：４）である場合が多い。さらに、この横長画像は、ユーザーの認識度を高めるため、できる限り大きく表示する必要がある。しかしながら、図１５（ｂ）の情報表示領域１１６に、横長画像を大きく表示しようとすると、図１５(ａ)のように、情報表示領域１１６の短手方向の長さを基準に、横長画像の表示倍率を設定しなければならない。つまり、情報表示領域１１６の長手方向の長さに等しくなるように、横長画像を表示しようとしても、短手方向の長さが不足してしまうため、そのような表示はできない。その結果、図１５（ｂ）の情報表示領域１１６には、図１５（ａ）のように、横長画像が表示された画像領域１１１の両側には、デッドスペース１１５・１１５が形成されてしまう。従って、横長の表示パネル１００ａでは、情報表示領域１１６中の画像領域１１１を、広くとることができない。また、デッドスペース１１５は、表示パネル１００ａの長手方向の長さが短いため、文字情報などの使用には適さない。
【０００９】
また、複合機１０１では、表示パネル１００ａと操作部１６０とが、複合機１０１の短手方向に沿って、上下に隣接して設けられている。このため、表示パネル１００ａの大画面化によって、表示された写真画像の視認性を高めようとすると、表示パネル１００ａを、複合機１０１の長手方向に、大きくせざるをえない。それゆえ、複合機１０１が大型化してしまうのは、必至である。
【００１０】
このように、横長の表示装置１００では、情報表示領域１１６を有効利用できないという問題がある。なお、情報表示領域１１６に縦長画像を表示する場合には、さらに、無駄なスペース１１５が増えてしまい、一層この問題が大きくなる。また、複合機１の大型化を伴わず、表示パネル１００ａを大画面化することは、極めて困難であるという問題がある。
【００１１】
さらに、特許文献１に記載の表示装置は、道路情報のように、予めＣＤ−ＲＯＭに格納されたデータを、拡大して表示するものである。このため、任意の情報を表示することはできない。
【００１２】
本発明は、上記の問題点に鑑みてなされたものであり、その目的は、表示画面を有効に利用して、任意の情報を表示できる表示装置、および、その表示装置を備えることによって、任意の情報が表示された電子機器および画像処理装置を提供することである。また、別の目的は、そのような各装置を、装置の大型化を伴わずに実現することである。
【課題を解決するための手段】
【００１３】
本発明にかかる電子機器（本電子機器）は、上記の課題を解決するために、機器の操作を行う操作部と、表示装置とを備えた電子機器であって、これら操作部と表示装置とが、機器本体の長手方向の一側部に、隣接して設けられ、この表示装置が、縦長の表示パネルを備えていることを特徴としている。
【００１４】
上記の構成によれば、操作部と表示装置とが機器本体の長手方向の一側部に、互いに隣接して設けられている。言い換えれば、操作部と表示装置とが、機器本体の短手方向に沿って（機器本体の長手方向に垂直に）、互いに隣接して設けられる。
【００１５】
さらに、上記の構成では、表示装置が、縦長の表示パネルを備えている。このため、操作部に干渉しないように、表示パネルを縦方向（機器本体の短手方向）に延設させることができる。その結果、操作部を干渉しない範囲において、表示パネルの大画面化が可能であるため、機器本体は大型化されない。
【００１６】
さらに、縦長の表示パネルは、横長の表示パネルよりも、表示行数を多くすることが可能である。このため、例えば、横長の表示パネルではスクロールしなければ認識できなかった文字情報も、縦長の表示パネルでは、スクロールすることなく、１画面上に表示することが可能となる。それゆえ、縦長の表示パネルでは、表示パネルの表示画面を有効に利用して、任意の情報を表示できる。
【００１７】
従って、上記の構成によれば、装置を大型化することなく、表示画面を有効に利用して、任意の情報を表示できる。
【００１８】
本電子機器は、上記表示装置が、操作部の上方に設けられていることが好ましい。
【００１９】
ここで、操作部の上方とは、機器を使用するユーザから離れる方向である。従って、上記の構成では、操作部がユーザに近い方、表示装置がユーザに遠い方となるように、互いに隣接して設けられている。これにより、ユーザに近い方に操作部が配置されるため、操作部の操作が容易になる。また、ユーザによる表示装置の画面の確認も、容易となる。
【００２０】
本発明の画像処理装置（本画像処理装置）は、上記の課題を解決するために、前記電子機器を備える画像処理装置であって、さらに、画像を読み取る画像読取部を備え、上記操作部および表示装置が、この画像読取部の一側端側に、設けられていることを特徴としている。
【００２１】
上記の構成によれば、操作部と表示装置とが画像読取部の一側端側に、互いに隣接して設けられている。例えば、操作部と表示装置とが、画像読取部の辺に沿って、互いに隣接して設けられる。また、この構成では、上記の電子機器を備えている。
【００２２】
従って、装置を大型化することなく、表示画面を有効に利用して、任意の情報を表示できる画像処理装置を、スキャナ機能などの画像読取機能を備えた画像処理装置として実現できる。
【００２３】
本画像処理装置さらに、入力された画像データを出力する画像形成部を備えていることが好ましい。これにより、本画像処理装置を、コピー機能などの画像形成機能を備えた画像処理装置として実現できる。
【００２４】
本画像処理装置は、上記画像形成部は、現像剤を用いた画像形成が可能であり、上記操作部および表示装置が設けられた領域の装置内部に、現像剤を収容する収容部を備えていることが好ましい。また、上記画像形成部が、インクジェット方式で画像形成するものであることがより好ましい。
【００２５】
現像剤を用いて画像形成する場合、その現像剤は、装置内部の収容部に収容される。このため、装置内部には比較的広いスペースが必要となる。インクジェット方式の画像形成を行うには、装置内部に特に広いスペースが必要となる。ここで、操作部および表示装置が設けられる領域の直下の装置内部には、比較的広いスペースができる。
【００２６】
上記の構成によれば、その収容部が、操作部および表示装置が設けられた領域の装置内部に設けられる。従って、操作部および表示装置によるスペースを有効に利用して、収容部を配置することができる。
【００２７】
本画像処理装置は、上記表示装置には、操作部に設けられるキーの一部を表示することが好ましい。この構成では、表示装置には、操作部に設けられるキーの一部が表示されるため、表示装置に表示されたキーを、操作部から取り除くことができる。これにより、操作部の占める領域を狭くし、その分の領域を、表示装置の領域とすることができる。すなわち、画像処理装置の長手方向および短手方向を大きくすることなく、表示装置の領域を広くできる。従って、より大画面での表示（特に、縦長表示）が可能となる。
【００２８】
本画像処理装置は、上記操作部に設けられるキーの一部が、画像処理装置の機能設定のためのキーでことが好ましい。これにより、表示装置に表示された画像処理装置の機能設定を、操作部によって、選択することができる。それゆえ、画像処理装置の長手方向および短手方向を大きくすることなく、表示装置の領域を広くできる。
【００２９】
本画像処理装置は、上記表示装置に表示された表示キーの一つを選択するための選択キーが、操作部に設けられていることが好ましい。また、上記操作部には、選択キーにて選択された一つの表示キーを操作されたキーとして決定する決定キーを備えていることが好ましい。
【００３０】
上記各構成によれば、操作部に設けられた選択キーによって、表示装置に表示された機能を選択し、操作部に設けられた決定キーによって、選択キーに選択された表示キーを実行することができる。
【００３１】
本画像処理装置は、上記表示パネルが、任意の情報を表示する情報表示領域と、その情報表示領域に関連する情報を表示する関連情報表示領域とを有することが好ましい。
【００３２】
上記の構成によれば、情報表示領域と関連情報表示領域とを備えている。これにより、関連情報表示領域に表示された情報に基づいて、情報表示領域に表示された情報の詳細を、認識することができる。
【００３３】
本画像処理装置は、上記表示パネルが、さらに、その表示パネルの長手方向に対して垂直方向に、画像処理装置の設定状態を表示する設定表示領域を有することが好ましい。
【００３４】
上記の構成では、表示パネルには、設定表示領域（例えば、ステータスバーなど）が、表示パネルの長手方向に対して垂直に設けられている。すなわち、表示パネルの短手方向に対して平行に、設定表示領域が設けられている。
【００３５】
また、前述のように、縦長の表示パネルを備えているため、横長の表示パネルの場合よりも、設定表示領域のスペースを少なくできる。その結果、表示パネルの全画面に対して、任意の情報を表示する情報表示領域のスペースを広くとることができる。従って、表示パネルのスペースを有効利用して、空いたスペースに任意の情報を表示することができる。
【００３６】
さらに、縦長の表示パネルの場合、横長の表示パネルよりも、表示行数が多くなる。このため、例えば、横長の表示パネルではスクロールしなければ認識できなかった文字情報も、縦長の表示パネルでは、スクロールすることなく、１画面上に表示することが可能となる。
【００３７】
これに対し、従来の構成では、横型表示を行う横長の表示パネルを備えており、その横長の表示パネルには、設定表示領域が、表示パネルの長手方向に平行に設けられている。このため、表示パネル全画面に対する、設定表示領域が占める割合が大きくなるため、情報表示領域を広くとることができない。
【００３８】
また、特許文献１（特開平１０−１６０４８９号公報）に記載の車載ナビゲーション装置における縦長の表示装置は、単に、道路情報のような予め定められた情報を拡大表示するものである。さらに、任意の情報を表示する情報表示領域も有していない。
【００３９】
本画像処理装置は、上記設定表示領域は、表示パネルの長辺に沿って設けられていることを特徴とする請求項１０に記載の画像処理装置。言い換えれば、表示パネルの最上部（頂部）および／または最下部（底部）に、設定表示領域が設けられていることが好ましい。
【００４０】
上記の構成によれば、情報表示領域よりも重要度の低い設定表示領域が、表示パネルの長辺に沿って設けられている。これにより、重要度の高い情報表示領域を、表示パネルの中央部に設けることができる。
【００４１】
本画像処理装置は、上記情報表示領域は、任意の情報として画像を表示する画像領域であり、上記関連情報表示領域が、その画像の情報を表示する画像情報表示領域であることが好ましい。
【００４２】
上記の構成によれば、画像領域と画像情報表示領域とを備えている。そして、情報表示領域には画像が表示され、関連情報表示領域には、その画像に関する情報が表示される。これにより、画像情報表示領域に表示された画像情報に基づいて、画像領域に表示された画像の詳細を、認識することができる。このような画像処理装置は、デジタルカメラなどで撮影した画像の印刷等に特に適している。
【００４３】
本画像処理装置は、上記情報表示領域と関連情報表示領域とが、表示パネルの上下方向に分割して設けられていることが好ましい。
【００４４】
上記の構成によれば、情報表示領域と関連情報表示領域とが、表示パネルの上下方向に分割して設けられている。これにより、情報表示領域に表示された情報と、関連情報表示領域に表示されたその任意の情報に関連するの情報とを、上下方向に表示できる。それゆえ、情報表示領域の情報の認識度を高めることができる。
【００４５】
本画像処理装置は、上記情報表示領域と関連情報表示領域とが、隣接して設けられていることが好ましい。
【００４６】
上記の構成によれば、情報表示領域と関連情報表示領域が隣接して設けられている。これにより、情報表示領域に表示された情報と、関連情報表示領域に表示されたその任意の情報に関連する情報とを、上下方向に、並べて表示できる。それゆえ、情報表示領域の情報の認識度を、さらに高めることができる。
【００４７】
本画像処理装置は、上記画像領域には、横長画像が表示され、上記横長画像は、その横長画像の長手方向の長さと、表示パネルの短手方向の長さとが略等しくなるように表示されることが好ましい。
【００４８】
上記の構成によれば、画像領域には、表示パネルの短手方向の長さと、画像の長手方向の長さが略等しい横長画像が表示される。これにより、表示パネルの短手方向いっぱいに、横長画像を全画面表示できる。
【００４９】
なお、横長画像としては、例えば、写真画像（各辺の比率が４：３）などが挙げれられる。ここで、従来のように横型表示パネルでは、設定表示領域のスペースが広いため、画像領域のスペースが狭い。すなわち、横型表示パネルでは、画像領域の短手方向（縦方向）の長さは、比較的短い。このため、横型表示パネルの長手方向と横長画像の長手方向との長さを略等しくしようとすると、縦方向の長さが足りなくなる。すなわち、横型表示パネルでは、横長画像を、横長画像を全画面表示できない。
【００５０】
本画像処理装置は、上記情報表示領域から関連情報表示領域に及んで、縦長画像が表示され、上記縦長画像は、その縦長画像の長手方向が、表示パネルの長手方向に対して平行に表示されることが好ましい。つまり、縦長の表示パネルに、縦長画像を表示してもよい。
【００５１】
上記の構成によれば、情報表示領域には、縦長の表示パネルの縦方向（上下方向）に、縦長画像の長手方向がくるように、縦長画像が表示される。これにより、情報表示領域には、縦長画像を、横型表示パネルの場合よりも大きく表示することができる。それゆえ、情報表示領域に表示された縦長画像を、容易に認識できる。
【００５２】
本画像処理装置は、上記縦長画像は、その縦長画像の長手方向の長さと、上記情報表示領域の長手方向の長さとが略等しくなるように、表示されることが好ましい。
【００５３】
上記の構成によれば、情報表示領域に表示される縦長画像の長手方向の長さは、縦長画像の長手方向に略等しい。これにより、情報表示領域の長手方向の長さいっぱいに、縦長画像を表示できる。それゆえ、縦長画像の認識度を、さらに高めることができる。
【００５４】
本画像処理装置は、さらに、上記関連情報表示領域（情報表示領域）に、任意の情報を書き込むための入力手段を備えていることが好ましい。
【００５５】
上記の構成によれば、入力手段を備えているため、情報表示領域に、自由に書き込みが可能である。これにより、画像処理装置の汎用性を高めることができる。
【００５６】
本発明の表示装置は、前記いずれかの電子機器、あるいは、前記いずれかの画像処理装置に備えられる表示装置であって、任意の情報を表示する情報表示領域と、その情報表示領域に関連する情報を表示する関連情報表示領域とを有する、縦長の表示パネルを備えていることを特徴としている。
【００５７】
この表示装置は、上記情報表示領域が、任意の情報として画像を表示する画像領域であり、上記関連情報表示領域が、その画像の情報を表示する画像情報表示領域であることが好ましい。
【００５８】
また、上記情報表示領域と関連情報表示領域とが、表示パネルの上下方向に隣接して設けられていることが好ましい。
【００５９】
上記各構成によれば、本電子機器、あるいは、本画像処理装置による効果を、表示装置として奏することができる。
【発明の効果】
【００６０】
本発明に係る電子機器および画像処理装置は、以上のように、操作部と表示装置とが、機器本体の長手方向の一側部に、隣接して設けられ、この表示装置が、縦長の表示パネルを備えている。それゆえ、装置を大型化することなく、表示画面を有効に利用して、任意の情報を表示できるという効果を奏する。すなわち、表示パネルのスペースを有効利用して、空いたスペースに任意の情報を表示することができるという効果を奏する。さらに、横長の表示パネルではスクロールしなければ認識できなかった文字情報も、縦長の表示パネルでは、スクロールすることなく、１画面上に表示することが可能となるという効果を奏する。
【発明を実施するための最良の形態】
【００６１】
本発明の一実施形態について図１ないし図１３に基づいて説明すると以下の通りである。なお、本発明は、これに限定されるものではない。
【００６２】
本発明の電子機器は、縦長の表示パネルを備えた表示装置によって、表示画面の有効利用を図るものである。以下では、この電子機器として、多機能を有する複合機（電子機器，画像処理装置）を例に挙げて説明する。なお、本発明は、これに限定されるものではない。
【００６３】
まず、図２および図３に基づいて、複合機１の構成を説明する。図２は、本実施形態の複合機１の要部構成を示す斜視図であり、図３は、図２の複合機１の背面図である。
【００６４】
複合機１は、デジタルカメラ、または、リムーバブルな記録媒体から、ダイレクトに得た画像データを、印刷用紙等に印刷する機能（ダイレクトプリント機能）を有している。さらに、複合機１は、コピー機能、スキャナ機能、ファックス機能，およびメール受信機能も有している。各機能は、ネットワークを介してデータを通信することが可能であってもよい。
【００６５】
複合機１は、図２に示すように、主に、表示装置１０、画像読取部２０、デジタルカメラ接続部３０、排紙部４０、アンテナ５０、操作キー（操作部）６０、およびスピーカー７０を備えている。また、図２には示さないが、複合機１は、印刷部（画像形成部；図４参照）９０も備えている。
【００６６】
複合機１は、縦長の表示パネル１０ａ（図９および図１０参照）を有する縦長の表示装置１０を備えることを最大の特徴としている。この表示パネル１０ａは、特に、デジタルカメラの写真画像を印刷する際に、印刷したい写真画像を選択しやすいように、写真画像を横長の表示パネルよりも、大きく表示することが可能である。表示パネル１０ａは、例えば、液晶表示ディスプレイ、および、ＣＲＴディスプレイなど，各種ディスプレイから構成される。また、表示パネル１０ａは、フレーム１０ｂに固定されている。表示装置１０の詳細は、後述する。
【００６７】
画像読取部２０は、スキャナ機能を有するものである。画像読取部２０にて、原稿を読み取る時は、原稿台２１に原稿を載置し、原稿カバー２３を閉じて、操作キー６０を操作する。原稿カバー２３の原稿と接触する面には、原稿を保護する保護マット２２が設けられている。
【００６８】
デジタルカメラ接続部３０は、デジタルカメラ本体を直接接続するためのデジタルカメラ接続端子３１と、メモリーカードなどのデジタルカメラの記録媒体を挿入するためのメモリーカードスロット３２とを備えている。メモリーカードスロット３２は、各社の規格に合うように、複数設けられている。また、メモリーカードスロット３２に記録媒体が挿入されると、カードアクセスランプ３３が点灯する。
【００６９】
排紙部４０は、印刷部９０（図４参照）にて印刷された印刷物を、排紙するものである。排紙部４０は、複合機１内へのゴミ等の混入を防止するとともに、複合機１内から印刷物が搬送されると、開状態となるプリンタカバー４１、印刷物を蓄積する用紙トレイ４２、プリンタカバー４１から用紙トレイ４２まで印刷物を案内する用紙ガイド４３、および、多量の印刷物または大きいサイズの印刷物を保持するための用紙補助トレイ４４を備えている。
【００７０】
操作キー（操作部）６０は、複合機１の操作を指示するものである。操作キー６０と表示装置１０とは、複合機１の上面（頂面）の一側部に、上下に隣接して設けられている。言い換えれば、操作キー６０と表示装置１０とは、複合機１の長手方向の一側部、より詳細には、画像読取部２０の長手方向一側短側に（画像読取部２０の短辺に沿って）、上下に隣接して設けられている。ここで、図２の構成では、デジタルカメラ接続部３０が設けられている方が、ユーザ側となる。そして、このユーザ側を下方とすると、表示装置１０が上方となるように、表示装置１０と操作キー６０とが、上下に隣接してに設けられている。これにより、ユーザに近い方に操作キー６０が配置されるため、操作キー６０の操作が容易になる。また、ユーザによる表示装置１０の画面の確認も、容易となる。
【００７１】
特に、本実施形態では、表示装置１に、従来操作キーによって操作していた機能を表示するようになっている。すなわち、表示装置１０に表示された機能の中から、必要な機能を選択するようになっている。このため、操作キー６０は、ハードキーの数が少なくなっている。その結果、操作キー６０の各キーが占める領域を狭くして、表示装置１０の領域を上下方向に広く確保できる。これにより、表示装置１０をより縦長にすることができる。従って、複合機１を大型化することなく、表示装置１０による大画面表示が可能となる。
【００７２】
また、複合機１の側面には、コードレス送受信するためのアンテナ５０、および音声で操作ガイドを行うためのスピーカー７０が設けられている。
【００７３】
さらに、図３に示すように、複合機１の背面には、複合機１とパソコンとを接続するためのＵＳＢ接続端子８０、電話回線に接続するための回線接続端子８１、電話回線を増設するための回線接続端子８２、両面印刷を行うときなどに印刷媒体（用紙等）をＵターンさせるためのＵターンユニット８３、先端に差し込みプラグ８５を有する電源コード８４を有している。
【００７４】
また、表示装置１０は、複合機１に、回動可能に設けられており、ディスプレイスタンド８６によって、ユーザーが画面を見やすい位置で固定できるようになっている。これにより、複合機１の使用時にのみ表示装置を見やすい角度で立て、複合機１の非使用時には、水平に収容できる。
【００７５】
なお、複合機１は、図９および図１０に示す構成とすることもできる。図９および図１０は、図２および図３の複合機１とはことなる、複合機１ａ要部構成を示す斜視図である。図９は、複合機１ａにおける、表示装置１０を倒した状態を示しており、図１０は、表示装置１０を立てた（チルトアップ）状態を示している。なお、複合機１と複合機１ａとは、基本的な構造および機能は同じである。
【００７６】
ここで、操作キー６０の具体例を説明する。図１１は、複合機１ａの操作キー６０の平面図である。ここでは、操作キー６０が、上下左右ボタン６１、決定キー６２、右ソフトボタン６３ａ、左ソフトボタン６３ｂ、ダイヤルボタン６４、留守ボタン６５、戻る／クリアボタン６６、お知らせランプ６７、停止ボタン６８、モノクロスタートボタン６９ａ、およびカラースタートボタン６９ｂを備えている。
【００７７】
上下左右ボタン６１は、カーソルに対して上下左右の移動指示を行うボタンである。決定キー６２は、所定の動作を実行する決定指示を行うボタンである。右ソフトボタン６３ａおよび左ソフトボタン６３ｂは、後述のように、ガイダンス領域１４に表示された機能（ソフト）の実行指示を行うボタンである。例えば、図７（ａ）において、左ソフトボタン６３ｂを押すと、ガイダンス領域に表示された拡大表示（α）が実行される。ダイヤルボタン６４は、ファックスの際のダイヤル入力のためのボタン、および、画像領域１５などに文字入力を行う際の入力ボタンである。なお、ダイヤルボタン６４による文字入力は、例えば、携帯電話と同様に、「１」で「ア行」、「２」で「カ行」…の入力を行う。留守ボタン６５は、電話機能を備えている場合に、留守番電話設定を行うボタンである。戻る／クリアボタン６６は、画像領域１１の表示を１つ前の表示に戻る指示、または、決定した動作および設定内容などを消去するボタンである。お知らせランプ６７は、誤作動した時に点灯する。停止ボタン６８は、実行中の動作を停止するボタンである。モノクロスタートボタン６９ａはモノクロ印刷、カラースタートボタン６９ｂはカラー印刷を、それぞれ行うボタンである。
【００７８】
操作キー６０は、表示パネル１０ａの表示画面に関連するような、形状で構成されたり、文字が印刷されていたりする。これにより、ユーザーによる操作キー６０の誤作動を低減できる。
【００７９】
このような複合機１（１ａ）は、図４に示すように、制御装置によって、制御されている。図４は、複合機１のブロック図である。制御装置は、画像読取部２０およびその画像を印刷するための印刷部（画像形成部）９０、画像やデータを記憶する記憶部、パソコン（ＰＣ）に接続されたＵＳＢ制御部―１、デジタルカメラまたはメモリーカードスロット３２を制御するＵＳＢ制御部−２、表示パネル１０ａを制御する表示制御部、操作キーを制御するキー制御部、電話回線網を制御する網制御部の制御を行うモデム、およびアンテナ５０によってコードレス通信を行うためのコードレス用制御回路を、それぞれ制御している。
【００８０】
印刷部９０は、複合機１に入力された画像を紙などの媒体に出力するものである。例えば、印刷部９０は、現像剤であるインクを吐出させて画像形成を行うインクジェットプリンタ、または、現像剤としてトナーを用い画像形成を行う電子写真方式の画像形成装置である。インクジェットプリンタでは、インク吐出を行うインクヘッドを搭載したキャリッジに、着脱可能となったインクを充填したカートリッジを装着し、キャリッジを媒体の移動方向と直交する方向へ移動させることによって、適宜インクを吐出させることで画像形成を行う。このため、インクジェットプリンタでは、カートリッジが装着された状態で移動させるため、複合機１内部には、比較的広いスペースが確保されている。
【００８１】
そこで、カートリッジの交換部（または待機位置）が、表示装置１０および操作キー６０の下部（装置内部）であることが好ましい。ここで、操作キー６０および表示装置１０は、簡素な構成であるため、それらが設けられた領域の直下の装置内部には、比較的広いスペースができる。従って、複合機１内にできるスペースを有効に利用して、カートリッジの収容スペース（収容部）を、設けることができる。
【００８２】
ここで、図１および図１５に基づいて、複合機１の表示パネル１０ａと、従来の表示パネルとの表示領域を比較する。図１は、複合機１の縦長の表示パネル１０ａを示す図であり、図１５は、従来の横長の表示パネルを示す図である。なお、ここでは、同サイズ（２４０ｍｍ×３２０ｍｍ）の表示パネルでの表示領域を比較する。各図に記載の数値は、各表示パネルにおける各領域の設定値例（ｍｍ）である。
【００８３】
図１に示すように、本実施形態の縦長の表示パネル１０ａでは、表示パネル１０ａの２つの短辺に沿って（つまり、表示パネルの長手方向に対して垂直方向に）、複合機１の設定状態を表示するステータスバーなどの設定表示領域１２、および、複合機１の操作ガイダンスまたは機能（ソフト）を表示するガイダンス領域１３・１４が、形成されている。表示パネル１０ａのうち、これら３つの領域を除いた領域に、画像領域１１と、画像情報表示領域１５とが設けられている。画像領域１１は、複合機１に関する任意の情報を表示できる情報表示領域である。画像情報表示領域１５は、その任意の情報に関連する情報を表示する関連情報表示領域である。
【００８４】
なお、設定表示領域１２、および、ガイダンス領域１３・１４には、印刷枚数、印字品位の選択、印刷に関わる情報などの複合機１の機能に関する情報を表示してもよい。例えば、印刷機能に関する情報として、画質（解像度）、縁アリ／ナシ、用紙のサイズ、画質（普通・キレイ）、印刷速度（普通・速い）、用紙の種類（普通紙／光沢紙）などを表示してもよい。
【００８５】
本実施形態では、図１に示すように、複合機１に接続されたデジタルカメラまたは記録媒体に、記録された画像を表示する画像領域１１（情報表示領域）と、画像領域１１に表示された画像の情報を表示する画像情報表示領域１５（関連情報表示領域）とが含まれる。また、図１では、画像領域１１と画像情報表示領域１５とは、上下方向に分割され、かつ、画像領域１１と画像情報表示領域１５とは上下に隣接して設けられている。
【００８６】
一方、図１５に示すように、横長の表示パネル１００ａでは、設定表示領域１１２およびガイダンス領域１１３・１１４が、表示パネルの長手方向に平行に設けられている。このため、表示パネル１００ａ全画面に対する、ガイダンス領域１１３・１１４が占める割合が大きくなり、情報表示領域１１６を広くとることができない。
【００８７】
これに対し、縦長の表示パネル１０ａは、設定表示領域１２およびガイダンス領域１３・１４が、表示パネル１０ａの長手方向に対して垂直に設けられている。このため、横長の表示パネル１００ａの場合よりも、表示パネル１０ａ全体に対するガイダンス領域１３・１４の占める割合が小さくなる。その結果、表示パネル１０ａの全画面に対して、任意の情報を表示する情報表示領域（画像領域１１）と、その任意の情報に関連する情報を表示する関連情報表示領域（画像情報表示領域１５）のスペースを広くとることができる。従って、表示パネル１０ａのスペースを有効利用して、空いたスペースに任意の情報を表示することができる。
【００８８】
さらに、縦長の表示パネル１０ａの場合、横方向（水平方向）に表示パネル１０ａの短手方向がくるため、横長の表示パネル１００ａよりも、表示行数が多くなる。このため、例えば、横長の表示パネル１００ａではスクロールしなければ認識できなかった文字情報も、縦長の表示パネルでは、スクロールすることなく、１画面上に表示することが可能となる。
【００８９】
また、表示パネル１０ａでは、情報表示領域よりも重要度の低い設定表示領域１２が、表示パネルの長辺に沿って設けられている。これにより、重要度の高い情報表示領域を、表示パネル１０ａの中央部に設けることができる。
【００９０】
また、表示パネル１０ａでは、画像領域１１と画像情報表示領域１５とが、表示パネル１０ａの上下方向に分割し、かつ、隣接して設けられている。これにより、画像領域１１に表示された画像と、画像領域１１に表示された画像の情報とを、上下方向に隣接して表示できる。それゆえ、画像領域１１の画像の認識度を高めることができる。
【００９１】
ところで、画像領域１１に表示する画像の認識度を高めるためには、当然、大きな画像を表示することが必要となる。
【００９２】
しかしながら、図１５（ｂ）の情報表示領域１１６に、横長画像を大きく表示しようとすると、図１５(ａ)のように、情報表示領域１１６の短手方向の長さを基準に、横長画像の表示倍率を設定しなければならない。つまり、情報表示領域１１６の長手方向の長さに等しくなるように、横長画像を表示しようとしても、短手方向の長さが不足してしまうため、そのような表示はできない。その結果、図１５（ｂ）の情報表示領域１１６には、図１５（ａ）のように、横長画像が表示された画像領域１１１の両側には、デッドスペース１１５・１１５が形成されてしまう。従って、横長の表示パネル１００ａでは、情報表示領域１１６中の画像領域１１１を、広くとることができない。また、デッドスペース１１５は、表示パネル１００ａの長手方向の長さが短いため、文字情報などの使用には適さない。
【００９３】
これに対し、図１に示すように、表示パネル１０ａでは、画像領域１１には、横長画像が表示され、しかも、その横長画像は、その横長画像の長手方向の長さと、表示パネル１０ａの短手方向の長さとが略等しくなるように表示することができる。これにより、表示パネル１０ａの短手方向いっぱいに、横長画像を全画面表示できる。デジタルカメラの写真画像は、各辺の比率が４：３であり、横長画像の典型例として挙げられる。
【００９４】
このような表示パネル１０ａにおける、画像領域１１および画像情報表示領域１５には、図５〜図８に示すような、表示を行うことができる。
【００９５】
例えば、図５に示すように、画像情報表示領域１５に写真画像のサムネイルを水平方向に表示する（画像「１」〜「３」）。そして、そのサムネイルのうち、カーソル１６選択（フォーカス）された画像（図５では画像「２」）を、画像領域１１に拡大して表示することもできる。画像情報表示領域１５に表示されている左右の矢印（三角記号）は、上下左右ボタン６１の左右ボタンで、カーソル１６が移動することを示している。このことは、ガイダンス領域１３に文字情報として、「←→：移動」を表示することによっても示される。そして、ガイダンス領域１４には、決定キー６２と略同形状内に「プリント」と表示される。これは、決定キー６２を押せば、カーソル１６に選択され、画像領域１１に表示された画像がプリントされることを示している。なお、決定キー６２を押せばプリントされることを、ガイダンス領域１３にも表示してもよい。
【００９６】
また、図６（ａ）〜図６（ｄ）に示すように、画像情報表示領域１５に、画像領域１１に表示された画像の詳細な情報を、表示することもできる。すなわち、図６（ａ）のように、画像領域１１に表示される画像に関する、メモ情報（文字情報）を、画像領域１１に画像が表示されたと同時に、画像情報表示領域１５に表示できる。例えば、料理の写真を画像領域１１に表示し、そのレシピ等の文字情報を画像情報表示領域１５に表示できる。ここで、画像情報表示領域１５に表示するレシピは、ファックス受信したレシピ、または、パソコンにデータとして取り込んだレシピ、デジタルカメラ等で撮影したレシピ（画像）、２次元コード化されたレシピ、各種記録媒体に記録されたレシピデータ、またはダイヤルボタン６５によって入力したレシピを用いることが可能である。
【００９７】
また、図６（ｂ）に示すように、メール受信機能を有する複合機１の場合、受信したメールに添付された画像を、画像領域１１に拡大表示し、メールの送信者や本文などの画像以外の情報を、画像情報表示領域１５に表示することもできる。
【００９８】
このように、図６（ａ）および図６（ｂ）の構成では、画像領域１１に表示される画像と、その画像に関する文字情報とを、表示することができる。すなわち、これら画像および文字情報のように、互いに独立した複数の関連情報を組み合せて表示することができる。
【００９９】
なお、図６（ａ）および図６（ｂ）では、ガイダンス領域１３には、上下左右ボタン６１の上下ボタンで、画像情報表示領域１５の文字情報がスクロールされることが示される（図６（ｂ）も同様）。これにより、ユーザは、画像情報表示領域１５に表示されたレシピ（図６（ａ））、および、メール本文（図６（ｂ））を、スクロールさせながら、全文字情報を読むことができる。
【０１００】
また、図６（ｃ）に示すように、予め画像領域１１に表示する画像とともに、その画像の暗号コードを保存しておき、その暗号コードを、画像情報表示領域１５に表示することもできる。なお、「暗号コード」は、例えば、１次元コード（バーコードなど）、２次元コード（ＱＲコード（登録商標））などが挙げられるが、画像情報表示領域１５に表示できるものであれば、特に限定されるものではない。なお、ガイダンス領域１３には、上下左右ボタン６１の左右ボタンによって、１つ前または後ろの画像およびその暗号コードを、画像領域１１および画像情報表示領域１５に表示できることを示す、文字情報が表示される。
【０１０１】
また、図６（ｄ）に示すように、画像領域１１に画像を表示し、画像情報表示領域１５に、印刷枚数を設定する画面を表示することもできる。画像領域１０には、横長の表示パネルよりも大きな画像を表示できるので、確実に印刷すべき画像を選択できる。ガイダンス領域１３には、上下左右ボタン６１の上下ボタンによって、印刷枚数を増減できることを示す、文字情報が表示される。
【０１０２】
なお、図６(ａ)〜図６（ｄ）では、図５と同様に、ガイダンス領域１４には、決定キー６２と略同形状内に「プリント」と表示される。そして、決定キー６２を押せば、画像領域１１に表示された画像がプリントされる。
【０１０３】
また、図７（ａ）（ｂ）に示すように、画像領域１１には、複数の画像を一覧表示することもできる。そして、この場合、画像情報表示領域１５には、図７（ａ）に示すように、カーソル１６によって選択（フォーカス）されている画像（ここでは、画像「１」）の日付，ファイル名，ファイルサイズなどの、画像情報を表示したり、図７（ｂ）に示すように、印刷枚数を設定画面を表示することもできる。ガイダンス領域１３には、上下左右ボタン６１の上下ボタンによって、１つ前または後ろの画像を、画像領域１１に表示できることを示す、文字情報が表示される。
【０１０４】
また、図７（ａ）および図７（ｂ）では、ガイダンス領域１４の両端部には、左側に「拡大表示（α）」、右側に「サブメニュー（β）」、それらの間に「選択完了」が表示される。これらは、左ソフトボタン６３ｂを押せば、カーソル１６に選択された画像「１」が画像領域１１に拡大表示され、右ソフトボタン６３ｂを押せば、選択された複合機１の機能におけるサブメニューが画像領域１１に表示され、決定ボタン６２を押せば、カーソル１６に選択された画像「１」の印刷が実行されることを示している。
【０１０５】
このように、画像領域１１には、１枚の画像を表示してもよいし、サムネイル表示のように複数の画像を一覧表示してもよい。表示方法は、設定領域１１、または、ガイダンス領域１３・１４に選択できるようになっている。
【０１０６】
また、図８に示すように、情報表示領域（画像領域１１と画像情報表示領域１５）には、縦長画像の長手方向が、表示パネル１０ａの長手方向に対して平行に表示されるような、縦長画像を表示することもできる。つまり、縦長の表示パネル１０ａに、縦長画像を表示してもよい。これにより、画像領域１１と画像情報表示領域１５の縦方向、すなわち、縦長の表示パネルの縦方向（上下方向）には、縦長画像の長手方向がくるように、縦長画像が表示される。これにより、画像領域１１と画像情報表示領域１５には、縦長画像を、横型表示パネルの場合よりも大きく表示することができる。それゆえ、画像領域１１と画像情報表示領域１５に表示された縦長画像を、容易に認識できる。
【０１０７】
また、この場合、画像領域１１と画像情報表示領域１５に表示される縦長画像の長手方向の長さは、縦長画像の長手方向に略等しくすることが好ましい。これにより、画像領域１１と画像情報表示領域１５の長手方向の長さいっぱいに、縦長画像を表示できる。それゆえ、縦長画像の認識度を、さらに高めることができる。
【０１０８】
また、図８では、ガイダンス領域１３には、上下左右ボタン６１の左右ボタンによって、画像領域１１に表示される画像を、その画像の前後の画像に変更するための矢印が表示される。また、ガイダンス領域１４には、図５などにおける「プリント」の代わりに、「回転」が表示されている。これは、決定キー６２を押せば、画像領域１１に表示された画像が、例えば、９０°ずつ回転することを示している。
【０１０９】
なお、図５〜図８の構成を、下記のように、表現することも可能である。
【０１１０】
すなわち、複合機１は、画像領域１１には、画像情報表示領域１５に表示された複数の画像の中から選択された任意の画像が、拡大表示されている構成であってもよい。この構成では、画像領域１１に拡大表示された画像は、横長画像であって、その横長画像の長手方向の長さと、表示パネル１０ａの短手方向の長さとが略等しいことが好ましい。
【０１１１】
また、複合機１は、画像領域１１には、複数の画像が表示され、画像情報表示領域１５には、それらの複数の画像から選択された任意の画像の情報が表示される構成であってもよい。
【０１１２】
また、複合機１は、画像情報表示領域１５には、画像領域１１に表示された画像に保存されたメモ情報が表示される構成であってもよい。
【０１１３】
また、複合機１が、メール送受信機能を有しており、画像領域１１には、受信メールに添付された画像が表示され、画像情報表示領域１５には、受信メールの内容が表示される構成であってもよい。
【０１１４】
また、複合機１は、画像情報表示領域１５には、画像領域１１に表示された画像に保存された暗号化コード（ＱＲコード（登録商標）；二次元コードなど）が表示される構成であってもよい。
以下に、本発明の特徴の一つである電子機器である複合機１の操作キー（操作部）６０部分の上部に、操作キー６０と隣接して設けられる表示装置１０を構成してなる表示パネル１０ａについて説明する。
【０１１５】
この表示パネル１０ａは、例えば図９、図１０に示したように縦長となっている。表示パネル１０ａには、操作キー６０の部分に通常設けられている複合機１の機能設定を行う設定キーが複数設けられている。従来では、図１２のＡに示すように、複合機１が備える、例えば５つの機能を設定するためのハードキーが設けられている。
【０１１６】
本発明における複合機１においては、操作キー６０部分に、上記５つ機能、たとえば、コピーモード、かんたんフォトプリント機能、ファックス機能、コピー機能、およびスキャナー機能を設定する設定キーを設けることなく、表示パネル１０ａの画像領域１１に表示させている。図１２の初期画面Ａの表示は、一例として図４の制御回路構成において、複合機１の電源投入をトリガとして、制御装置が表示制御部を介し表示装置１０（表示パネル１０ａ）に初期画面として表示させる。
【０１１７】
図１２の初期画面Ａの表示状態において、ユーザは、機能（モード）設定を行うことになるが、そのための構成としては、操作キー６０に設けられている上下左右ボタン６１により選択できるようにしている。図１２において、初期画面Ａではかんたんフォトプリント機能（モード）がデフォルトとして選択（太実線）されている。上記上下左右ボタン６１の左ボタンが操作されると、ファックスモードが選択される。この時、ファックスモードの枠部分が太実線（カーソル１６）となり、そのモードが選択されていることをユーザに示すことができる。そのカーソル１６が示す位置で、操作キー６０の決定キー６２が、操作されるとファックスモードに設定され、画像領域１１には、ファックスモードにかかる画像が表示される。なお、図１２の初期画面Ａの状態で、決定キー６２が操作されると、かんたんフォトプリントのモードにかかる画像が、図１２の画像選択画面Ｂに示すように表示される。
【０１１８】
以上の構成とすることで、本発明においては、モードを設定するためのハードキーが操作キー６０から削除できることになる。つまり、操作キー６０の一部のハードキーを無くすことができる。これにより、操作キー６０が占める領域、つまりスペースを小さくできる。この小さくできたスペースを利用して表示装置１０における表示領域を大きくできる。この結果、表示装置１０を構成してなる表示パネル１０ａは、操作キー６０に生じるスペース分、操作キー６０方向に延長でき、限られたスペースを有効利用して縦長表示を実現でき、表示領域が拡大できる。
【０１１９】
よって、操作キー６０を複合機１の長手方向の一側端側に設け、その上部に表示装置１０を配置することで、操作キー６０のハードキーの配置、例えば一部のハードキーを無くすことで、複合機１の長手方向を大きくせず、また短手方向においても大きくすることなく表示装置１０を、縦長の表示パネル１０ａを設けることで、表示領域を大きくできる。
【０１２０】
以上のように表示パネル１０ａを縦長表示とすることで、既に図１の説明、また表示例を示した図５〜図８にて説明したような表示を可能にでる。これは、上述したような構成により初めて得られるものでもある。
【０１２１】
なお、図１２の初期画面Ａの例では、画像領域１１に機能表示を行うようにしているが、画像情報表示領域１５に表示することもできる。つまり、モード選択時においては、選択可能な機能をいずれの表示領域に表示させ、モード選択後の決定キー６２によるモード設定後には、画像表示領域１１、画像情報表示領域１５に、先に説明した表示形態の事例に従った表示を実現できる。
【０１２２】
また、上述した実施形態の説明においては、複合機１が備える機能を選択し、設定するためのものとして説明した。しかし、操作キー６０における他のハードキーにかかる設定キー、例えば停止キー６８、モノクロスタートキー６９ａ、カラースタートキー６９ｂにかかる設定キーを、画像領域１１に表示させ、上下左右キー６１の操作にて設定キーの一つを選択し、決定キー６２の操作で、設定キーにて設定された処理を実行させることもできる。このような構成としても、上述したように表示パネル１０ａの表示領域を拡張でき、複合機１の長手、短手方向を大きくすることなく、縦長表示を実現できる。
【０１２３】
しかも、図１２の初期画面Ａで説明した事例、また上記事例の両方を実現すれば、操作キー６０のハードキーがさらに少なくなり、操作キー６０が占める領域をより小さくでき、表示装置１０をさらに縦方向に大きくできる。
【０１２４】
次に、図１２および図１３を参照して、画像領域１１および画像情報表示領域１５の別の表示例について説明する。
【０１２５】
複合機１は、図１２および図１３に示すように、画像情報表示領域１５には、画像領域１１に表示された画像の印刷部数を設定するための選択情報が表示される構成であってもよい。
【０１２６】
図１２では、Ａの画像領域１１に示されるように、複合機１（１ａ；以下同様）が、コピー機能、ファックス機能、スキャナ機能、およびフォトプリント機能を有している。ここで、複合機１のデジタルカメラ接続部３０に、デジタルカメラまたは写真画像データが格納された記録媒体が挿入されると、表示パネル１０ａには、初期画面が表示される。ここでは、各機能を識別する文字やイラストが、画像領域１１に、十字状に表示されている。また、各機能の配列は、「かんたんフォトプリント」が中央となり、カーソル１６に選択されている状態である。ここで、「かんたんフォトプリント」とは、ユーザが、最低限の設定選択によって、簡単に写真画像を印刷できるように設定されている機能である。例えば、印刷設定がカラープリントに固定（変更不可）、用紙タイプがフォト用紙、用紙サイズがＬ判、レイアウトが縁無し（縁無し印刷）、画質がきれい（複数の画質がある中の１つ）、および日付印刷はしない、予め設定されている。これにより、ユーザは、印刷したい画像を選択するのみで、簡単に写真画像を印刷できる。また、「いろいろフォトプリント」とは、ユーザが、各種設定を任意に変更して、画像を印刷する機能である。
【０１２７】
具体的には、複合機１の電源がＯＮになると、表示パネル１０ａには、図１２の初期画面Ａが表示される。初期画面Ａでは、画像情報表示領域１５に、モード表示、日時、留守録件数、ＦＡＸ件数が、表示される。ここで、「モード表示」には、画像領域１１のうち、カーソル１６に選択された機能の設定状態の一部が示される。
【０１２８】
ここで、デジタルカメラ接続部３０に、デジタルカメラまたは写真画像データが格納された記録媒体を挿入して、その写真画像を「かんたんフォトプリント」で印刷するとする。この場合、決定ボタン６２を押すと、画像選択画面Ｂが表示される。画像選択画面Ｂでは、画像領域１１に、デジタルカメラまたは記録媒体の画像のうち、９枚の画像（画像「１」〜「９」）が一覧表示される。画像情報表示領域１５には、左側に前、右側に次の矢印が表示され、上下左右ボタン６１の左ボタンによって、カーソル１６が１つ前の画像に移動し、右ボタンによって、カーソル１６が１つ後の画像に移動する。なお、上下ボタンを押せば、カーソル１６が上下の画像に、それぞれ移動する。なお、画像領域１１の画像の中に、カーソル１６の移動指示に対応する画像がない場合は、前後のページに移動して、対応する画像が選択される。例えば、カーソル１６が画像「７」を選択しており、下ボタンを押すと、画像領域１１には、次頁の画像「１０」〜「１８」が表示される。そして、カーソル１６は、画像「１」の位置に表示された画像「１０」を選択する。画像「１」が選択され、上ボタンが押された場合も同様に、前頁の対応する画像が選択される。
【０１２９】
そして、画像選択画面Ｂの画像「１」〜「９」の中から、カーソル１６を移動させながら印刷したい画像を選択し、決定ボタン６１を押す。「かんたんフォトプリント」では、カラープリントに固定されているため、決定ボタン６１を押すと、選択されている画像が印刷（プリント）される。ガイダンス領域１３には、決定ボタン６２を押せば選択された画像がプリントされる文字情報が表示される。ガイダンス領域１４には、左ソフトボタン６３ｂを押せば、カーソル１６に選択された画像が画像領域１１に拡大表示され、右ソフトボタン６３ｂを押せば、選択された複合機１の機能におけるサブメニューが画像領域１１に表示され、決定ボタン６２を押せば、カーソル１６に選択された画像の印刷が実行されることを示す画面が表示される。
【０１３０】
プリント中は、プリン中画面Ｃとして、画像領域１１に、プリント動作中であることを示すアニメーション画像が表示される。また、画像情報表示領域１５には、何枚中何枚目を印刷しているかが表示される。ガイダンス領域１３には、左ソフトボタン６３ｂを押せば、プリントが中止されることを示す画面が表示され、ガイダンス領域１３には、プリント中の文字情報が表示される。
【０１３１】
プリント終了後は、再び、画像選択画面Ｂと略同様の、画像選択画面Ｄとなる。ここでは、カーソル１６が、プリントした画像の次の画像（図１２では画像「２」）を、自動的に選択するように設定されている。
【０１３２】
なお、初期画面Ａの状態で右ソフトボタン６３ａを押すと、表示パネル１０ａには、複合機１の基本設定メニュー画面が表示され、基本設定メニューの状態で右ソフトボタン６３ａを押すと、初期画面Ａが表示される。また、画像選択画面Ｂの状態で戻る／クリアボタン６６を押すと初期画面Ａに戻り、プリント中画面Ｃの状態で左ソフトボタン６３ｂを押すと画像選択画面Ｂに戻る。
【０１３３】
また、図１３に示すように、図１２の画像選択画面Ｂの状態で、左ソフトボタン６３ｂを押すと、画像選択画面Ｅとなる。画像選択画面Ｅでは、カーソル１６に選択されている画像「１」が、画像領域１１拡大表示される。画像選択画面Ｅの状態で左ソフトボタン６３ｂを押すと、画像選択画面Ｂに戻る。
【０１３４】
このように、本画像処理装置は、従来の横型表示パネル（横型表示の液晶表示画面）を、縦型表示パネルとすることによって、表示領域（画面スペース）の有効活用を図るものである。このような縦型表示パネルは、表示パネルに表示すべき情報量を減らすことなく、横型表示パネルよりも画像（特に横長画像）を、大きく表示できる。しかも、横型表示パネルの場合に形成されるデッドスペース１１５（図１５参照）が形成されることなく、画像に関する文字情報などを、表示することもできる。
【０１３５】
なお、上記の説明では、複合機１について説明したが、縦長の表示パネル１０ａは、ＦＡＸにも適用できる。ＦＡＸの受信は、縦型（縦方向の用紙）で行われる。このため、縦長の表示パネル１０ａを設置すれば、ＦＡＸ送信または受信した用紙の情報を、画像領域１１に表示できる。横長の表示パネルの場合、縦長画像を表示しようとすると、画面の途中で切れてしまうか、画像が小さくなる。しかし、縦長の表示パネル１０ａであれば、そのような問題は生じない。
【０１３６】
また、複合機１は、特に、印刷または外部出力をするための複合機に好適に利用できる。このため、印刷や外部出力を目的としない携帯電話の表示パネルとは、使用目的が異なる。すなわち、本願発明は、特に好ましくは、印刷（または外部出力）することを目的とし、表示パネル画面上の有効スペース（画像情報表示領域１５）に、印刷（または外部出力）に関わる情報が表示される。これに対し、携帯電話は、印刷を目的とするものではない。
【０１３７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３８】
本発明の画像処理装置は、表示パネルを有効利用にて画像や文字情報などを表示できるため、表示パネルの設置上のレイアウトに問題がなければ、横型の表示パネルを備えた多機能プリンタ、ファクシミリ、複写機などの印刷を目的とする画像処理装置を、縦型の表示パネルに変更して適用することができる。
【図面の簡単な説明】
【０１３９】
【図１】本発明の実施形態の複合機に備えられる縦長の表示パネルを示す平面図である。
【図２】本発明の実施形態の複合機の要部構成を示す斜視図である。
【図３】図２の複合機の背面図である。
【図４】図２の複合機の要部構成を示すブロック図である。
【図５】図１の表示パネルの表示例を示す平面図である。
【図６】図６（ａ）〜図６（ｄ）は、図１の表示パネルの別の表示例を示す平面図である。
【図７】図７（ａ）〜図７（ｂ）は、図１の表示パネルの別の表示例を示す平面図である。
【図８】図１の表示パネルの別の表示例を示す平面図である。
【図９】本発明の実施形態の別の複合機の要部構成を示す斜視図であり、表示装置を倒した状態を示す図である。
【図１０】図９の複合機において、表示装置を立てた状態を示す図である。
【図１１】本発明の実施の形態の複合機に備えられる操作部の平面図である。
【図１２】本発明の実施の形態の複合機における表示装置の表示状態を示す平面図である。
【図１３】図１２とは異なる、表示装置の表示状態を示す平面図である。
【図１４】従来の複合機の斜視図である。
【図１５】図１５（ａ）〜図１５（ｂ）は、従来の複合機に備えられる横長の表示パネルを示す平面図である。
【符号の説明】
【０１４０】
１，１ａ    複合機（電子機器，画像処理装置）
１０  表示装置
１０ａ  表示パネル
１１  画像領域（情報表示領域）
１２  設定表示領域
１５  画像情報表示領域（関連情報表示領域）
１７  情報表示領域
２０  画像読取部
６０  操作キー（操作部）
９０  印刷部（画像形成部）
【図１】
2006113411.tif 000003
【図２】
2006113411.tif 000004
【図３】
2006113411.tif 000005
【図４】
2006113411.tif 000006
【図５】
2006113411.tif 000007
【図６】
2006113411.tif 000008
【図７】
2006113411.tif 000009
【図８】
2006113411.tif 000010
【図９】
2006113411.tif 000011
【図１０】
2006113411.tif 000012
【図１１】
2006113411.tif 000013
【図１２】
2006113411.tif 000014
【図１３】
2006113411.tif 000015
【図１４】
2006113411.tif 000016
【図１５】
2006113411.tif 000017